(57)【要約】【目的】  身体の胴部に巻かれる帯を巻き込み位置に留める留め具付き帯であって、身体に周回状に巻き付けた帯をそのまま留めることができ、帯の締付加減を簡単に調整できる。【構成】  帯Ｂの一端部に形成したポケットＰに帯留め本体１が挿着され、帯留め本体１の基板２はポケットＰ内に収納され、またその挟持板３はポケットＰの外にあって、基板２と挟持板３間に、ポケットＰの壁面を挟んで帯Ｂをスライド可能に挟持するスライド挟持面５を形成する。【選択図】    図１
2012180612.tif 000002
【特許請求の範囲】
【請求項１】
身体に周回状に巻かれる帯（Ｂ）を、その巻込位置に留める、留め具付き帯であって、
前記帯（Ｂ）の一端部に形成されるポケット（Ｐ）と、このポケット（Ｐ）に挿着される帯留め本体（１）とよりなり、
帯留め本体（１）は、基板（２）と、この基板（２）の一端より折返し部（４）を介して一体に折り曲げ形成される挟持板（３）とより断面Ｕ字状に形成され、基板（２）はポケット（Ｐ）内に収納される一方挟持板（３）はポケット（Ｐ）の外にあって、基板（２）と挟持板（３）間には、ポケット（Ｐ）の壁面（１５）を挟んで帯（Ｂ）をスライド可能に挟持するスライド挟持面（５）が形成されることを特徴とする留め具付き帯。
【請求項２】
前記ポケット（Ｐ）は、帯（Ｂ）の一端に耳部分（１１）を残して形成されることを特徴とする前記請求項１記載の留め具付き帯。
【請求項３】
前記帯留め本体（１）は、前記ポケット（Ｐ）に出し入れ可能に装着されることを特徴とする、前記請求項１または２記載の留め具付き帯。
【請求項４】
前記折返し部（４）は、前記基板（２）と挟持板（３）とを相互に接近する方向に弾発付勢していることを特徴とする、前記請求項１，２または３記載の留め具付き帯。
【発明の詳細な説明】
【技術分野】
【０００１】
本発明は、身体の胴部に周回状に巻き付けられる帯を、その巻込位置に留めるための留め具を備えた、留め具付き帯に関する。
【背景技術】
【０００２】
従来、和服、浴衣などの着物を着る場合には、その着用者は、着物の着用後、帯を身体の胴部に周回状に巻き付けて、その帯の自由端同士を手で結ぶか、あるいは、帯締め（たとえば、後記特許文献１参照）を用いて留めるなどして、着物を身体に装着するようにしている。
【先行技術文献】
【特許文献】
【０００３】
【特許文献１】特開２００９−１２０９７０号公報
【発明の概要】
【発明が解決しようとする課題】
【０００４】
ところが、帯を手で結ぶには、その操作が面倒で時間がかかり、結び方によっては着崩れすることがあるばかりでなく締め付け具合を調整するのが厄介で煩わしさがあり、その上、帯の結び目の体裁を整えるのが難しいなどの不具合があり、また、前記特許文献１のものは、身体に周回状に巻き付けた帯をそのまま留めることができないばかりでなく、帯の留め操作や、その締め付け加減の調整が面倒であるなどの不具合がある。
【０００５】
本発明は、かかる事情に鑑みてなされたものであり、身体に周回状に巻き付けた帯を、そのままの状態で簡単容易に留めることができ、しかも帯の締付加減を簡単に調整できるようにした、新規な留め具付き帯を提供することを目的とする。
【課題を解決するための手段】
【０００６】
上記目的を達成するため、請求項１の発明は、身体に周回状に巻かれる帯を、その巻込位置に留める、留め具付き帯であって、
前記帯の一端部に形成されるポケットと、このポケットに挿着される帯留め本体とよりなり、帯留め本体は、基板と、この基板の一端より折返し部を介して一体に折り曲げ形成される挟持板とより断面Ｕ字状に形成され、基板はポケット内に収納される一方挟持板はポケットの外にあって、基板と挟持板間には、ポケットの壁面を挟んで帯をスライド可能に挟持するスライド挟持面が形成されることを特徴としている。
【０００７】
上記目的を達成するため、請求項２の発明は、前記請求項１記載のものにおいて、前記ポケットは、帯の一端に耳部分を残して形成されることを特徴としている。
【０００８】
上記目的を達成するため、請求項３の発明は、前記請求項１または２記載のものにおいて、前記帯留め本体は、前記ポケットに出し入れ可能に装着されることを特徴としている。
【０００９】
前記目的を達成するため、請求項４の発明は、前記請求項１、２または３記載のものにおいて、前記折返し部は、前記基板と挟持板とを相互に接近する方向に弾発付勢していることを特徴としている。
【発明の効果】
【００１０】
各請求項の発明によれば、身体に周回状に巻き付けた帯を、そのままの状態で簡単容易に留めることができ、しかも帯の締付加減を簡単に調整できる。また、帯留め本体は、帯の一端部に形成したポケット内に装着されるので、紛失することがない。
【００１１】
また、請求項２の発明によれば、ポケットは、帯の一端部に耳部分を残して形成されるので、この耳部分を指先などで把持することにより、帯留め本体のスライド操作が容易になり、帯の締め付け加減の調整がし易い。
【００１２】
さらに、請求項３の発明によれば、帯留め本体は、ポケットに出し入れ可能に収納されるので、帯留め本体のメンテナンス、交換に便利である。
【００１３】
さらにまた、帯留め本体の折返し部は、前記基板と挟持板とを相互に接近する方向に弾発付勢しているので、基板と挟持板間のスライド挟持面と、帯との間の隙間を吸収することができる。
【図面の簡単な説明】
【００１４】
【図１】留め具付き帯の使用状態を示す図
【図２】留め具付き帯の一部（ポケット部）の斜視図
【図３】図２の３矢視の留め具付き帯の一部（ポケット部）の正面図
【図４】図３の４−４線に沿う断面図
【図５】図１の５−５線に沿う拡大断面図
【図６】留め具付き帯を身体に装着すべくセットする手順を示す図
【図７】留め具付き帯を、身体の胴部に巻き付ける手順を示す図
【発明を実施するための形態】
【００１５】
本発明の実施の形態を、添付図面に例示した本発明の実施例に基づいて以下に具体的に説明する。
【００１６】
本発明にかかる留め具付き帯は、図１に示すように、身体の胴部ＢＯに周回状に巻き付けたまま、その巻付位置に留めることができるように構成される。
【００１７】
図２〜４を参照して、帯Ｂに装着される帯留め本体１の構造について説明する。
【００１８】
帯留め本体１は、ステンレス板などの長尺の金属板の中間部を折り曲げ加工して構成されており、平坦な基板２と、折返し部４を介して、基板２の内面に重ね合わされる平坦な挟持板３とよりなり、基板２は挟持板３よりも若干長く形成され、また、それらの自由端縁は半円状に形成されている。基板２と挟持板３間には、帯Ｂをスライド可能に挟持するスライド挟持面５が形成されている。挟持板３の自由端は、基板２に対して外側に傾斜する帯案内面３ａが形成され、前記スライダ挟持面５への帯Ｂの挿入を案内する。前記折返し部４は、断面Ｕ字状に形成されて、基板２と挟持板３とを相互に接近する方向に弾発付勢する。
【００１９】
図２，３に示すように、帯Ｂの一端部は二つ折りされており、この二つ折り部分Ｂａには、耳部１１を残して、帯留め本体１を装着するポケットＰが形成されている。このポケットＰは、前記二つ折り部分Ｂａをその幅方向に沿って縫着したなる２条の縫着線１２，１２によって二つ折り部分Ｂａに画成されており、このポケットＰの幅、すなわち２条の縫着線１２，１２間の幅は、そこに収納される帯留め本体１の基板２の幅よりも若干幅広であり、また、このポケットＰの出入口１３は、縫着線１２，１２の端縁間に形成される。そして、このポケットＰには、後に述べるように、前記帯留め本体１の基板２が出入れ可能に収納される。
【００２０】
つぎに、図６を参照して、本発明にかかる留め具付き帯を身体に装着し易いように予めセットする手順について説明する。
【００２１】
(1) 図６（イ）に示すように、帯Ｂの二つ折り部分Ｂａに設けたポケットＰ内に、帯留め本体１の基板２を挿入し、その折返し部４をポケットＰの縁を迂回させてその挟持板３をポケットＰのポケット壁１５を挟んでその外側に沿設する。これにより帯留め本体１は、ポケットＰに、そこから抜け出ることなく密に装着される。
【００２２】
(2) つぎに、図６（ロ）に示すように、帯留め本体１を芯にして、帯Ｂを、その表面（模様のある面）を内側にして渦巻状に巻く。
【００２３】
つぎに、図７を参照して、留め具付き帯を、身体の胴部ＢＯに巻きつけて留める手順について説明する。
【００２４】
(3) 図７（イ）に示すように、巻かれた留め具付き帯の自由端を引き出して二つ折りにして巻き始め部分Ｂｂとし、この巻き始め部分Ｂｂに指を掛けながら、その巻き始め部分Ｂｂを胴部ＢＯに移動しないようにあてがう。
【００２５】
(5) 図７（ロ）に示すように、帯Ｂを、胴部ＢＯの周りに巻きつけていく。この場合、帯Ｂを、その全長が巻き終わるまで、重ねて周回状に胴部ＢＯに巻きつける。
【００２６】
図７（ハ）に示すように、帯Ｂを巻き終わったら、帯留め本体１の基板２（ポケットＰ内に挿入されている）と、挟持板３間のスライド挟持面５を、巻かれた帯Ｂの最外側に、その幅方向から挿入する。これにより、帯留め本体１の挟持面５は、胴部ＢＯに巻かれている帯Ｂの最外側をスライド可能に挟持する。その後、帯Ｂの巻き始め部分Ｂｂを指先で持ちながら、帯Ｂの耳部分１１をポケットＰ（帯留め本体１が装着されている）と共の胴部ＢＯ周りに移動させて、帯留め本体１の位置および帯Ｂの締め込み具合を調節する。この場合、帯留め本体１のスライド挟持面５は、巻かれている帯Ｂの最外側に沿って自由にスライド可能であるので、帯Ｂの耳部分１１を指先で把持しながら帯留め本体１（ポケットＰ）を帯Ｂの端部（二つ折り部分Ｂａ）と共に、胴部ＢＯ周りに締め付け方向〔図７（ハ）矢印ａ方向〕、あるいは緩み方向〔図７（ハ）矢印ｂ方向〕に移動させることにより、帯Ｂの締め付け力を簡単に調節することができる。
【００２７】
ポケットＰは、帯Ｂの一端部に耳部分１１を残して形成されるので、この耳部分１１を指先などで把持することにより、帯留め本体１のスライド操作が容易になり、帯Ｂの締め付け加減の調整がし易い。
【００２８】
帯留め本体１は、ポケットＰに出し入れ可能に装着されるので、帯留め本体１のメンテナンス、交換に便利である。
【００２９】
帯留め本体１の折返し部４は、前記基板２と挟持板３とを相互に接近する方向に弾発付勢しているので、基板２と挟持板３間のスライド挟持面５と、帯Ｂとの間の隙間を吸収することができる。
【００３０】
以上、本発明の実施例について説明したが、本発明はこの実施例に限定されることなく、本発明の範囲内で種々の実施例が可能である。
【００３１】
たとえば、前記実施例では、留め具付き帯を、着用した着物を留める帯に適用した場合について説明したが、これを腹帯、健康帯、コルセットなどの身体に周回状に巻きつける他の帯にも適用することができる。また、前記実施例では、帯留め具を金属板により形成しているが、これを、合成樹脂板など他の素材により形成してもよい。
【符号の説明】
【００３２】
１・・・・帯留め本体
２・・・・基板
３・・・・挟持板
４・・・・折返し部
５・・・・スライド挟持面
１５・・・・壁面（ポケットＰの）  
Ｂ・・・・帯
Ｐ・・・・ポケット
【図１】
2012180612.tif 000003
【図２】
2012180612.tif 000004
【図３】
2012180612.tif 000005
【図４】
2012180612.tif 000006
【図５】
2012180612.tif 000007
【図６】
2012180612.tif 000008
【図７】
2012180612.tif 000009